(57)【特許請求の範囲】
【請求項１】
ハウジングと、
ハウジングから突出するカニューレと、
外部にある流体源または流体容器に取付け可能なコネクターと、
カニューレ及びコネクターの間で流体の流れを可能にする流体流れ経路と、
少なくとも一部分が移動可能なアクチュエータであって、流体流れ経路の一部分の位置を変えることで、流体の流れを停止させるか又は流れ方向を変えられるようになし、カニューレの引込みを開始させることができるアクチュエータとを具えている装置であって、
流体流れ経路はアクチュエータの中に設けられ、
アクチュエータは、カニューレを引き込むための引込み用空洞部を有し、後部がハウジングに回動可能に接続され、
アクチュエータは、第１の位置と第２の位置との間で、ハウジングに関して円弧状に移動可能であって、
アクチュエータが第１の位置にあるとき、流体流れ経路は、カニューレとコネクターとの間で流体の流れが可能であり、
アクチュエータが第２の位置にあるとき、流体の流れは停止し、カニューレは、引込み用空洞部の中に引き込まれる、装置。
【請求項２】
装置は、医療用装置である請求項１の装置。
【請求項３】
流体流れ経路への流体の漏洩又は流体流れ経路からの流体の漏出を防ぐことができるように構成された少なくとも１つのシール要素をさらに具えている請求項１の装置。
【請求項４】
カニューレ引込み機構をさらに具えている請求項１の装置。
【請求項５】
カニューレ引込み機構は、カニューレホルダーと圧縮スプリングをさらに具えている請求項４の装置。
【請求項６】
少なくとも１つのシール要素は、弾性Ｏリングである請求項３の装置。
【請求項７】
シール要素は、アクチュエータが第１の位置にあるとき、アクチュエータとカニューレホルダーとの間に位置する請求項３の装置。
【発明の詳細な説明】
【技術分野】
【０００１】
＜発明の分野＞
この発明は流体の流れをコントロールする装置に関し、１つの好適な実施形態においては、流体を注入、採取または抽出するために患者に挿入可能なカニューレ（多くの場合は針）を有する医療装置に関する。本発明の１つの態様は、注入または抽出後におけるカニューレと外部流体源または外部流体容器との間の流体流れ経路を変えるために操作されるアクチュエータを有する医療装置に関する。本発明の別の態様は、流体の流れラインに取り付けられたときにクランプとして機能する機構に関する。本発明の更に別の態様は、使用後における偶発的な針刺しを防ぐため、また、汚染されたカニューレの再使用を防ぐために、カニューレを本装置の内部に引き込む機構に関する。本件発明は血管内（ＩＶ）において適用するのに特に好適であるが、例えば硬膜外、骨内および眼内での適用においても有益に使用することができ、また、あらゆる体液に関して使用することができる。
【背景技術】
【０００２】
＜関連技術の説明＞
管体に接続されたカニューレによって患者に流体および／または薬剤を送給する種々の血管内（ＩＶ）注入用のセットが当技術分野において広く知られている。ＩＶ注入装置には、カニューレ挿入中の取り扱いを容易にするため、その装置の安定化に役立たせるため、および使用中における装置の移動を制限すべく固定できるようにするため、翼状体が取り付けられていることが多い。血液採取装置は逆向きの流れではあるが、同じ原理で作動する。血液は、装置本体を経て血液採取用の容器に接続されているカニューレを通じて静脈または動脈から採取される。従来の注入システムまたは流体採取システムの使用後には、そのカニューレは血液および／または他の体液で汚染されており、従って、その装置を再使用しないように注意が払われなければならず、また、医療従事者または患者のどちらかに偶発的に針が刺さってしまい、これにより血液感染性の病原菌が広がってしまうのを回避すべく注意が払われなければならない。患者から回収した後のカニューレにキャップまたはカバーを用いて被せることは、それらが偶発的な針刺しの危険性を増大させるし、また、ゆるくなって抜け落ちると、汚染されたカニューレが再び露出されてしまう可能性があるため、満足のいく解決策ではない。
【０００３】
Ｓｈａｗに付与された「Winged IV Set With Retractable Cannula」と題する米国特許第5,779,679号およびShawに付与された「Winged IV Set」と題する米国特許第6,210,371号は、ともに、引込み可能なカニューレを有するＩＶ注入セットを開示している。これらのうちのどちらの特許においても、引込み可能なカニューレは、その後端部にカニューレとＩＶチューブとの間で流体連通を可能にする管体コネクターを備えた引込み部材によって保持されている。該引込み部材は、ハウジングの対向する側に配置された一対の解放可能なラッチにより、圧縮されたスプリングの力に対抗して、引き込みされていない位置で保持されている。一旦ラッチが解放されると、前述のスプリングが引込み部材を、ひいてはカニューレをハウジング内へ押し戻す。しかしながら、ＩＶチューブが引込み部材に直接的に接続されているため、カニューレの引込みは、それだけでなく、ＩＶチューブが後方に移動する状態をも引き起こす。もしそのチューブが引込み中に後方へ自由に移動されない場合には、前述の引込み部材およびカニューレは十分に引き込みされない可能性がある。
【０００４】
接続された管体の後方への動きをもたらすことなく、またはそのような動きに頼ることなく、更には、本装置の再使用を不可能に成すような仕方で、且つ、カニューレの引込みと連動して流体流れ経路が遮断、移転および封鎖されるような仕方で、カニューレを引き込むことができる注入装置および流体採取装置(fluid collection device)が求められている。
【発明の概要】
【０００５】
＜発明の要旨＞
本発明の装置は、医療分野において使用するのに特に適しているが、必ずしも医療用に限定されない装置を含む。本発明の１つの好適な実施形態によれば、カニューレを有していて、流体を注射、注入または抽出することを目的として構成することができ、且つ、そのような目的で使用することができる医療装置が開示される。本装置は、装置の構成に応じて、例えば：注入セットの一部として、あるいは静脈血液もしくは動脈血液用；医療従事者にとって周知の髄液、脳脊髄液および羊水などの他の体液用；または、例えば薬剤、脂質もしくは骨髄などの懸濁液またはスラリー中に含有されている固形物用；の採取装置として使用することができる。本装置が流体または薬剤を注入するために使用されるときには、上述の流体源は例えばＩＶ点滴バッグまたは注射器であり得る。本装置が血液を採取するために使用されるときには、上述の流体容器は例えば血液採取バッグ、真空管または注射器であり得る。本装置が流体流れラインに取り付けられるときには、本装置はクランプとしても使用することができる。カニューレを引き込むのに先立って、本装置は、その流体流れ経路内への流体の漏れまたは流体流れ経路からの流体の漏れを防止する。そのカニューレは、典型的には、組織内への挿入またはポートなどの別の医療装置内への挿入を容易にするために勾配が付けられた前端を有する針である。
【０００６】
本発明の１つの実施形態によれば、本装置は、オフセットされる流体流れ経路と、カニューレとインラインにある位置に固定された引込みチャンバーとを含んでいる。引込みの開始はアクチュエータによって行われ、該アクチュエータによりカニューレに対する軸方向の位置が変えられ、また、これにより、流体流れ経路が閉鎖される。
【０００７】
本発明の別の実施形態によれば、本装置は、インラインにある流体流れ経路と、オフセットされた引込み用空洞部を含んでいる。引込みは、カニューレに対して相対的に側方向に位置を変えることができるアクチュエータによって開始され、また、これにより、その流体流れ経路が閉塞および封鎖される。
【０００８】
本発明の別の実施形態によれば、本装置は、インラインにある流体流れ経路およびオフセットされる引込みチャンバーを含んでいる。引込みは、カニューレに対して相対的に円弧状に位置を変えることができるアクチュエータによって開始され、また、これにより、その流体流れ経路の閉塞および封鎖が行われる。
【０００９】
本発明の１つの好ましい実施形態によれば、好適には：ハウジング；そのハウジングから前方に突出するカニューレ；本装置を流体源または容器へ取り付けるのに有用なコネクター；前述のカニューレとコネクターとの間で流体連通を可能にする流体流れ経路；突出する位置から離れる方向でカニューレを付勢する引込み機構；および前述のハウジングによって支持されており、且つ、本装置を通る流体の流れを終了させ、流体流れ経路を封鎖し、更に、カニューレをハウジング内に引き込むべく前述の引込み機構を解放することができるように前述の流体流れ経路を変えることができるよう構成されているアクチュエータ；を含んでいる装置が開示される。使用者による本装置の取り扱いを容易化するため、下側に存在する表面上で本装置が転がらないようにするため、および使用中に患者に固定され得る表面を提供するため、望ましくは、側方向に伸びるフィンガーグリップおよび／またはフィンガーパッドを伴った安定化用の翼状体が設けられている。
【００１０】
本発明の別の好適な実施形態によれば、本装置のアクチュエータ部は２つの細長い空洞部、最も好適には円筒状の空洞部を含んでおり、それら２つの空洞部は、流体流れ経路の一部を画定する１つの空洞部、および引込み後における引込み機構の一部およびカニューレを受け入れることができるように構成されている引込み用の空洞部である別の空洞部を含む。本引込み機構は、好適には、針またはカニューレ用のホルダー、および圧縮スプリングなどの付勢部材を含んでいる。本アクチュエータは、好適には、流路の少なくとも一部を遮断し、位置をずらし、方向を変え、または再構成し、これにより、本装置を通る元の流路に沿った流体の流れをカットオフすることによって流体流れ経路を変えるために、使用者が第１の位置から第２の位置へ動かすことができる。本アクチュエータの少なくとも一部は、ハウジングの内部で摺動可能に取り付けられているか、または回転可能に、最も好適には回動可能に接続されている。望ましくは、第１の位置から第２の位置へのアクチュエータの移動は引込み機構を解放する機能も果たし、これにより、付勢部材がカニューレホルダーおよびカニューレの少なくとも一部に対して引込み用空洞部の内部へ戻るように力を及ぼし、且つ、偶発的な針刺しを防ぐため、およびその装置の再使用を防止するため、カニューレ全体に対してハウジングの内部へ戻るように力を及ぼすことが可能になる。引込み可能な針を有する本装置の使用すること、偶発的な針刺しを回避できること、および本装置の再使用ができないようにすることは、血液感染性病原菌により医療従事者、他の患者、および使用後にそのような装置を扱う可能性のある人々へ疾患が広がるのを有意に低減させる上で重要である。
【図面の簡単な説明】
【００１１】
次に、以下の添付図面との関連において本発明の装置を更に開述および説明する。
【図１】図１は、遮断可能な流体流れ経路、ハウジングの前方に突出する引込み可能なカニューレ、後方に摺動可能なアクチュエータおよび安定化用の翼状体を有する、本発明の１つの実施形態の正面図である。
【図２】図２は、図１の線２−２に沿う側部断面図である。
【図３】図３は、流体流れ経路の遮断およびカニューレの引込み後における、図２の装置の拡大図である。
【図４】図４は、遮断可能な流体流れ経路、ハウジングから前方に突出する引込み可能なカニューレ、および側方向に摺動可能なアクチュエータを有する、本発明の別の実施形態の断面正面図である。
【図５】図５は、流体流れ経路の遮断および引込み用空洞部内へのカニューレの引込み後における、図４の実施形態の断面正面図である。
【図６】図６は、遮断可能な流体流れ経路、ハウジングから前方に突出する引込み可能なカニューレ、および回動可能なアクチュエータを有する、本発明の別の実施形態の斜視図である。
【図７】図７は、図６の実施形態の分解斜視図である。
【図８】図８は、図６の実施形態の（反対側に向けられた）拡大上面平面図である。
【図９】図９は、カニューレが前方に突出し、管体セグメント（仮想輪郭線で示されている）がアクチュエータ、カニューレホルダーおよびカニューレを通る流体流れ経路と流体的に連通した状態で配置されている、図８の実施形態の一部が破り取られた拡大断面平面図である。
【図１０】図１０は、流体流れ経路の遮断およびカニューレの引込み後における、図９の実施形態の拡大断面平面図である。
【図１１】図１１は、遮断可能な流体流れ経路、ハウジングから前方に突出する引込み可能なカニューレ（保護用のガードでカバーされている状態で示されている）、およびそのハウジングに回動可能に接続されているアクチュエータを有する、本発明の別の実施形態の斜視図である。
【図１２】図１２は、図１１の実施形態の分解斜視図である。
【図１３】図１３は、図１１の実施形態の拡大平面図である。
【図１４】図１４は、仮想輪郭線で示されている保護用のカバーを有する図１３の実施形態の正面図である。
【図１５】図１５は、前方に突出するカニューレおよび仮想線で示された保護カバーを伴った状態で、カニューレ、カニューレホルダーおよびアクチュエータを通る流体流れ経路を示す、図１３の実施形態の一部が破り取られた拡大断面平面図である。
【図１６】図１６は、流体流れ経路の遮断および引込み用空洞部内へのカニューレの引込み後における、図１５の実施形態の断面平面図である。
【図１７】図１７は、特に液状流体の場合に有用な、遮断可能な流体流れ経路、ハウジングから前方に突出する引込み可能なカニューレ（取外し可能な保護用のカバーで視界から隠されている）、およびそのハウジングに回動可能に接続されているアクチュエータを有する、本発明の別の実施形態の斜視図である。
【図１８】図１８は、図１７の実施形態の分解斜視図である。
【図１９】図１９は、前方に突き出たカニューレおよび仮想輪郭線で示された保護カバーを伴った状態で、カニューレ、カニューレホルダー、アクチュエータおよびルアーコネクターセットを通る流体流れ経路を示す、図１７の実施形態の一部が破り取られた拡大断面平面図である。
【図２０】図２０は、流体流れ経路の遮断および引込み用空洞部内へのカニューレの引込み後における、図１９の実施形態の断面平面図である。
【発明を実施するための形態】
【００１２】
＜好適な実施形態の説明＞
図１を参照しながら説明すると、装置１０は、例えば患者から血液、血液ガスもしくは他の体液を採取するための医療装置、または典型的には静脈内に投与もしくは別な具合に投与されるタイプの流体を患者に注入するための医療装置の一部として使用することができる。図示されているように、装置１０は、ハウジング１２、およびカニューレホルダー１６に取り付けられていて前方に突き出たカニューレ１４を含んでいる（図２および図３により明確に示されている）。装置１０を使用する前には、望ましくは、カニューレ１４の勾配付き先端部は保護用のカバーで遮蔽されている。アクチュエータ１８はハウジング１２によって摺動可能に支持されており、また、ハウジング１２の内部でハンドル４４の反対側の端部を固定する複数の対向した可撓性のラッチを含んでいる。アクチュエータ１８の前部に在るハンドル４４は、以下でもっと詳しく説明されているように、装置１０を通る流体の流れを停止させ、且つ、ハウジング１２の内部へのカニューレ１４の引込みを開始させるための、ハウジング１２に対して相対的なアクチュエータ１８の手動による操作を容易にする。
【００１３】
所望により安定化用の翼状体２０を設けることができ、これは、ハウジング１２から側方向に伸びており、使用者による装置１０の取り扱いを容易化する。また、使用される場合、翼状体２０は、装置１０がテープ、縫合糸または他の同様に効果的な手段を用いて患者に固定されるときにハウジング１２の回転を抑制する表面も提供する。治療学的に指示されているとおりに所望量の流体が患者に投与された後、または所望量の流体を患者から回収した後、同時的にハウジング１２を把持しながらアクチュエータ１８のハンドル４４の前側に後方に向けられた手動による圧力を加えることにより、カニューレ１４を通る流体の流れを停止させることができ、且つ、カニューレ１４をハウジング１２の内部に引き込むことができる。望ましい場合には、カニューレ１４は、最初にカニューレを患者から引き抜いておくことなく、ハウジング１２内へ引き込むことができる。装置１０の使用法およびカニューレ１４の引込みについては、図２および図３との関連において、以下でもっと十分に検討される。
【００１４】
図２を参照すると、安定化用の翼状体が取り付けられていない状態で装置１０が示されている。装置１０のハウジング１２は、下側セクション２６および上側セクション２８を含む２つの細長い部分を含んでいる。下側セクション２６は、更に、前端３２と後端３４との間に配置された肩部３０により定められる移行ゾーンを伴った、比較的小さな直径の前端３２および比較的大きな直径の後端３４を含んでいる。上側セクション２８は、肩部３０上のあるポイントから下側セクション２６の後端３４上の開放後端まで後方へ伸びており、且つ、そこに管体セグメント２４を挿入することができるコネクターとして機能する長手方向のボアを含んでいる。管体セグメント２４の端部は、望ましくは、何らかの適切な手段、例えば摩擦係合などにより、またはクランプ装置もしくは接着剤などを用いることにより、ハウジング１２の上側セクション２８の内部に保持されている。装置１０の所望の使用法に応じて、管体セグメント２４は、装置１０をＩＶバッグなどの流体源または血液採取システムなどの流体容器へ接続するのに適したあらゆる所望の長さであってよい。下側セクション２６は、好適には更に、後端３４と移行ゾーンの肩部３０との間に配置された引込み用空洞部３６を含んでいる。図示されているように、引込み用空洞部３６の後端３４は、端部キャップ４２により閉じられる開口を含んでいる。下側セクション２６は、更に、移行ゾーンの肩部３０の僅かに前方で頂部壁に配置されたアパーチャ３８を含んでいる。穴３８は上側セクション２８の底に設けられた穴４０と整列しており、この穴３８、４０の整列は、カニューレ１４と管体セグメント２４との間での流体流れ経路を確立するのに役立つ。
【００１５】
下側セクション２６の前端３２における開口は摺動可能に係合されたチューブ状のアクチュエータ１８によって閉じられ、前述のアクチュエータはその前縁から上向きに伸びるハンドル４４を含んでいる。アクチュエータ１８は、ハンドル４４が下側セクション２６の前端３２から相隔たって位置する第１の位置からハンドル４４が下側セクション２６の前端３２に境を接し、隣接して位置する第２の位置へ移動することができる。アクチュエータ１８は、望ましくは、アクチュエータ１８が前端３２に接触して境を接する第２の位置へ動かされたときに、下側セクション２６に設けられた穴３８をカバーして閉じるのに十分な距離だけハウジング１２の下側セクション２６内へ長手方向に伸びるサイズに成されている。また、アクチュエータ１８は、望ましくは、アクチュエータ１８の後ろ側の端部から外向きに伸びる一対の直径方向反対向きのラッチを含んでいる。摺動式端部キャップ１８がそれの第２の位置へ向けて動かされると、上述のラッチは下側セクション２６の内壁に設けられている突出した肩部上へ摺動して、その突出した肩部と係合し、これにより、アクチュエータ１８はその第２の位置にロックされ、ハウジング１２から取り出すことが防止される。
【００１６】
引込み機構１３はカニューレ１４を支えており、カニューレホルダー１６、カニューレホルダープラグ４６およびスプリング２２を含んでいる。下側セクション２６の前部へのアクチュエータ１８の取り付け後、カニューレホルダー１６、スプリング２２およびカニューレホルダープラグ４６は、望ましくは事前に組み立てられていて、後端３４に設けられている開口を通じ、更に、引込み用空洞部３６を通じて下側セクション２６内へ挿入される。この挿入に先立ち、望ましくは、弾力性のあるカニューレホルダープラグ４６が挿入され、カニューレホルダー１６の比較的大きな直径のセクション５８の内部に設けられている凹部と摩擦係合する。スプリング２２は、望ましくは、カニューレホルダー１６のより小さな直径の前部セクション上に配置され、そこで、スプリング２２は後方へ摺動し、環状肩部５２と接触係合する。この組み立てられたユニットは、その後、流体の通路６０が下側セクション２６の頂部壁に設けられているアパーチャ３８と整合するように配向され、移行ゾーンの肩部３０を越えて進められる。カニューレホルダー１６の前方に伸びる先端部がアクチュエータ１８の前方へ突き出ているときには、スプリング２２はアクチュエータ１８の前部開口の内部で環状肩部に接触して着座しており、図２に示されている位置へ圧縮されている。アクチュエータ１８は、その圧縮されたスプリングの力に耐え、先に説明されている如く、アクチュエータ１８をハウジング１２に固定する弾力性のあるラッチによって、スプリングの力の下でハウジング１２から離れて前方に移動しないように成されている。このエレメント構成は、流体が中空のカニューレ１４およびカニューレホルダー１６を通じてカニューレホルダープラグ４６内へ流入し、更に、カニューレホルダープラグ４６の頂部に設けられた穴６０を通り、尚も更に、引込み用空洞部のハウジング２６の頂部に設けられた穴３８を通り、管体アセンブリのハウジング２８の底に設けられた穴４０を通って管体２４内へ流入するときに、カニューレ１４が管体２４と流体的に連通した状態になることを可能にする。同様に、流体は、反対の方向に流れ、管体２４から通って、整合した穴４０、３８および６０を通り、カニューレ１４から流れ出ることもできる。後ろ側の端部キャップ４２は、カニューレ１４およびカニューレホルダープラグ４６の取り付け後に、下側セクション２６の開放端に取り付けられ、摩擦作用により下側セクション２６の後ろ側の端部３４の内部に保持される。
【００１７】
引込み機構１３をハウジング１２内へ挿入する前にカニューレ１４をカニューレホルダー１６に固定された関係で確保することができるが、カニューレ１４は、望ましくは、カニューレホルダー１６をハウジング１２の内部に取り付けた後、カニューレホルダー１６の突出した先端部のボア内に挿入される。図２から分かるように、カニューレホルダー１６の前方に伸びた端部に設けられている開口は、カニューレ１４の挿入および取り付けを容易化するため、テーパが付けられている。カニューレ１４は摩擦作用によりカニューレホルダー１６のボアの内部に保持することができるが、望ましくは、接着剤または当業者にとって公知の他の何らかの同様な効果を有する手段を用いて、固定された関係でカニューレホルダー１６に取り付けられる。カニューレ１４の勾配付き先端部の開放部分は、望ましくは、患者に挿入しやすくするために上向きになっている。図２に示されているように、中空のカニューレ１４の開放後端６２は、カニューレホルダー１６の後端５８を通じてカニューレホルダープラグ４６の開放前部セクション５４に伸びている。しかしながら、カニューレ１４は、カニューレ１４とカニューレホルダー１６との間での信頼性のある係合を促進するのに十分な距離だけカニューレホルダー１６内に伸びてさえいればよいことを認識すべきである。
【００１８】
装置１０が上で説明されているようにして組み立てられるときに、圧縮されたスプリング２２または他の何らかの同様な効果を有するバイアス負荷手段が、カニューレ１４およびカニューレホルダー１６に後方向きの付勢力を加える。カニューレホルダープラグ４６により下側セクション２６の比較的小さな直径の前部の内面５０に対して及ぼされるこの摩擦作用による保持力は、カニューレ１４を患者に挿入している間にカニューレ１４およびカニューレホルダー１６によりカニューレホルダープラグ４６に対して後ろ向きに及ぼされる力と組み合わせた状態での、スプリング２２により環状肩部５２に対して及ぼされる付勢力に耐えるのに十分な大きさを有していなければならない。さもなければ、ハウジング１２に対して相対的なアクチュエータ１８の移動を伴うことなく、カニューレ１４が早過ぎるタイミングで引っ込んでしまう可能性がある。
【００１９】
流体の注入または抽出手順が完了し、カニューレ１４の引込みを行う際には、使用者は、ハウジング１２のテクスチャード加工された外面部分（図１で見ることができる）を把持するかまたは選択的に設けられる翼状体（恐らく、既に患者に取り付けられている）を押し付けるかのいずれかによってハウジング１２を静止位置に維持しながらハンドル４４に後方へ差し向けられた圧力を加えることにより、引込みを開始することができる。ハンドル４４に加えられるこの手操作による圧力は、アクチュエータ１８がハウジング１２に対して相対的に後方へ移動する状態をもたらす。望ましくは、引込みは、カニューレ、典型的には針がまだ患者に挿入されている間に開始される。アクチュエータ１８が後方へ動くと、アクチュエータ１８の後端６４とカニューレホルダー１６の環状肩部５２との間での接触により、カニューレホルダー１６およびカニューレホルダープラグ４６にも後方へ向けた力が作用する。図２から、アクチュエータ１８の後端６４はカニューレホルダー１６の前方に面した環状肩部５２の隣接部分と境を接しており、一方、スプリング２２の下側に描かれている如きアクチュエータ１８のその部分の後ろ側の端部は環状肩部５２から僅かに離れているのを見て取ることができる。この僅かな分離は、使用者によってハンドル４４に及ぼされる後方へ差し向けられた力が、その円周方向周りに均等に分配されるのではなく、環状肩部５２の１つの側に対して集中される状態をもたらし、また、引込みを開始させるのに必要な手操作による力を低減させるものと確信される。
【００２０】
図３を参照しながら説明すると、アクチュエータ１８の後方への移動に応答して、カニューレホルダープラグ４６は、（肩部３０を越えて）移行ゾーンを通過し、下側セクション２６の比較的大きな直径の引込み用空洞部３６内へ至る。カニューレホルダープラグ４６が移動するときには、カニューレホルダープラグ４６の外面４８と下側セクション２６の内壁５０との間での摩擦力が低減され、また、カニューレホルダープラグ４６が移行ゾーンを通り、引込み用空洞部３６に入るときには、その摩擦作用による保持力は完全になくなる。この摩擦作用による保持力がアクチュエータ１８のハンドル４４を通じて加えられる際の使用者の指の力と圧縮されたスプリング２２の付勢力との複合力により十分に低減されるポイントにおいて、スプリング２２は、カニューレホルダー１６およびカニューレホルダープラグ４６に対して、引込み用空洞部３６内に向けた後方への力を及ぼし、これにより、同時的に、カニューレホルダー１６がカニューレ１４の勾配付き先端部をハウジング１２内へ引き入れる状態がもたらされる。当業者にとって、この開示を読めば、アクチュエータ１８は、ハウジング１２に対して相対的なアクチュエータの走行範囲がカニューレホルダープラグ４６に確実に肩部３０を越えて力を及ぼすことができるような、十分な長さでなければならないことが明らかであろう。
【００２１】
図３に示されているように、引込み後には、カニューレホルダープラグ４６は、望ましくは、下側セクション２６の後ろ側の端部キャップ４２に境を接し、またはほとんど境を接した状態になる。下側セクション２６は、望ましくは、カニューレ１４全体が下側セクション２６内に収容され、前端３２からはみ出さないサイズに成されている。また、引込み後においては、アクチュエータ１８の上縁がカニューレ１４と下側セクション２６の頂部に設けられた穴３８との間の流体流れ経路を閉塞する。これにより、まだハウジング１２の上側セクション２８に接続されたままの管体２４から流体が漏れ出ることが防止される。
【００２２】
本発明の別の実施形態が図４および図５との関連において開示および説明される。図４を参照しながら説明すると、装置７０は、採血器具またはＩＶ注入セットの一部として使用するのが好適である。装置７０は、前方に突き出ている円錐形鼻状部７４を伴った前部壁７２を有する実質的に矩形のハウジング；開放スロット８８を伴った後部壁９２；側壁９８；ならびに、壁７２、９２および９８を相互に連結する、協働性の、実質的に平坦な底部壁１０４および対応する頂部壁（この断面図では見えていない）；を含んでいる。側壁９８の反対側に在る底部壁１０４および対応する頂部壁（見えていない）の縁は図４では見えていないが、壁９８から最も遠く隔たっているスロット８８の側面を僅かに越えたポイントにおいて、前部壁７２と後部壁９２との間で伸びている。前部壁７２の裏側に見られる摺動式トラック９４は、好適には、前部壁７２の一部として一体的に形成されている。
【００２３】
図示され、且つ、説明されているように、装置７０のハウジングは、そこに引込み機構７６およびアクチュエータ９６を取り付けることができる構造物を定めている。引込み機構７６は、好適には、更に、より大きな直径のヘッド８０を有するカニューレホルダー７８、およびカニューレホルダー７８に対して後方に差し向けられた力を及ぼす付勢部材を含んでいる。１つの好適な付勢部材は圧縮スプリング８６である。引込み機構７６は、好適にはカニューレ８４およびアクチュエータ９６の取り付けに先立って、後ろ側から、ハウジングの前部壁７２、鼻状部７４および摺動式トラック９４内に取り付けることができる。コイルスプリング８６がカニューレホルダー７８の前方に伸びる端部上に配置され、その後、カニューレホルダー７８は、スプリング８６の前方に面する端部がカニューレホルダー７８の周囲に配置されている鼻状部７４の前部開口の内部に設けられた環状肩部に接触して着座するまで、鼻状部７４内に挿入される。スプリング８６が圧縮されると、ヘッド８０の前方に面する表面に設けられた環状肩部８２の一部が、鼻状部７４を通じる開口に隣接した前部壁７２の後ろ向きに面する表面に接触して境を接する。引込み機構７６が（鼻状部７４から前方に伸びているカニューレホルダー７８の一部を一次的にクランプするなどの方法により）適所に保持されている間に、アクチュエータ９６は、望ましくは、壁９８の反対側に位置するハウジングの側面から摺動式トラック９４内に挿入され、そして、図４に示されているとおりの位置へ側方向に動かされ、そこでは、シール部材９５が流体密封性のシールをもたらし、カニューレホルダー７８のヘッド８０からアクチュエータ９６の流体流れ経路１００内へ至る間での流体の流れを可能に成している。
【００２４】
アクチュエータ９６は、好適には、ハウジング内におけるアクチュエータ９６の側方向の動きを容易化するため、ハウジングの内部に設けられた少なくとも１つのガイドまたは摺動式トラック９４と摺動可能に係合することができるように作られた、細長い、実質的に矩形の胴体である。アクチュエータ９６の内部は、好適には、壁セクション１０６、１０８によって定められたインライン流体流れ経路１００、およびアクチュエータ９６が使用位置に在る間はカニューレ８４からオフセットされた位置にある引込み用チャンバー１０２を含んでいる。好適にはエラストマーＯ−リングまたは別の同様に効果的なシール部材である、弾力性を有するシーリング部材９５は、アクチュエータ９６を通じて流体流れ経路１００の前側端部に設けられた凹部に配置され、そこで、そのシール部材はカニューレホルダー７８の拡大されたヘッド８０の後ろ向きに面する表面と密封状態をもたらすことができる。弾力性を有するシール部材９５は流体流れ経路１００内へ入る方向と流体流れ経路１００から出る方向のどちらの流体の漏えいをもシールすることが観察される。
【００２５】
アクチュエータ９６が図４に示されているとおりの位置に在るときには、スプリング８６は圧縮された状態に維持されており、装置７０の使用後にアクチュエータ９６が選択的に位置を変えられるような時まで、カニューレホルダー７８に後ろ向き方向の付勢力を付与し続ける。一旦、引込み機構７６およびアクチュエータ９６がハウジングの内部に取り付けられると、カニューレ８４の後ろ側の端部をカニューレ７８の軸方向ボア内に挿入し、接着剤の使用または別の仕方で適所に固定することができる。図示されていないが、望ましくは、カニューレをカニューレホルダー７８内に取り付けた後、摩擦作用により係合可能で取り外し可能な保護用のカバーがカニューレ８４に設けられる。
【００２６】
使用に先立ち、装置７０は、好適には、挿入可能であるかもしくは別の仕方で通常の方法によりスロット８８を通じて管体コネクター１０３に取り付け可能な可撓性の管体セグメント９０によって流体源または流体容器に連結される。アクチュエータ９６が図４に示されているような位置に在るときには、カニューレ８４と管体セグメント９０との間で実質的に直線状の流体流れ経路が確立される。管体コネクター１０３は、管体セグメント９０の自由端を受け入れ、且つ、摩擦作用により係合することができるように僅かにテーパが付いたアクチュエータ９６の内部のボアのあるセクションであってよく、または他の公知の手段、例えばルアーコネクター、ネジ式コネクター、クランプもしくは接着剤などによって管体セグメントの取り付けが可能なように構成することもできる。管体セグメント９０は、好適には、意図的用途に適した長さおよび材料の可撓性ポリマーからなる管体である。図４に示されているようにして構成された場合、装置７０は、流体を外部のソースから移し、カニューレを通じて放出するために使用することができ、または外部のソースからカニューレを通じて抽出もしくは回収し、その後、管体コネクター１０３とは反対側の管体セグメント９０の端部から放出することもできる。
【００２７】
使用後、アクチュエータ９６に対してカニューレ８４およびカニューレホルダー７８を通る長手方向軸に実質的に垂直な方向の手操作による力を加えることによって、アクチュエータ９６を使用位置から引込み位置へ移動させることにより引込みが開始される。図５を参照しながら説明すると、アクチュエータ９６が壁９８へ向けて側方向に動かされたときには、アクチュエータ９６を通じて流体流れ経路１００は、もはやカニューレホルダー７８のヘッド８０に対向していない位置へ横側にシフトされる。同時に、ヘッド８０は、圧縮されたスプリング８６の付勢力による作用を受けて、カニューレホルダー７８をアクチュエータ９６の引込み用空洞部１０２内へ駆り立て、これにより、カニューレ８４がハウジングの内部に回収される。この結果をもたらすためには、後壁９２と鼻状部７４の前側先端部との間の距離がカニューレ８４の尖端を少なくとも鼻状部７４内へ収容するのに十分な長さでなければならないことは明らかであろう。また、圧縮されていないスプリング８６の長さは、望ましくは、引込み後、特に、装置７０がカニューレを下側に向けた垂直な位置へ回転されたときに、カニューレ８４の先端が装置７０の前側から再び突き出ることがないような長さである。
【００２８】
引込みを開始させるためにアクチュエータがハウジングに対して相対的に円弧状に位置を変えられる、本発明の別の実施形態が、図６−図１０との関連において説明される。最初に図６−図８を参照すると、医療装置１１０が開示されており、その医療装置はハウジング１１２、アクチュエータ１１４、引込み機構１１８、および前方に突き出たカニューレ、好適には針１２２を含んでいる。ハウジング１１２は、更に、実質的に平坦な頂面および底面を有する中空の胴体、傾斜の付いたフィンガーパッド１３４、前方に伸びた開放ネック１３６、アクチュエータ停止レール１４０を含む開放型の側面および背面セクション、凹型壁セクション１６８、およびアクチュエータ１１４をハウジング１１２に回動可能に取り付けることができるように整列した状態で互いに対向して配置されたアパーチャ１２６を含んでいる。
【００２９】
アクチュエータ１１４は、好適には、アクチュエータ接触面１３２、接触面１６６、アクチュエータ位置決めレール１３８、ハウジング１１２のアパーチャ１２６との嵌め合わせ係合に挿入可能な、外向きに突き出た取り付け用ボス１２８、および管体用アパーチャ１３０を含んでいる。引込み機構１１８は、好適には、前方に伸びた小さな直径部分１０６およびその小さな直径部分１０６の後ろ側に配置された比較的大きな直径のヘッド１０８を有する針ホルダーを含んでいる。圧縮スプリング１１６は、小さな直径部分１０６上を摺動し、ヘッド１０８の前方に面した環状表面に接触して境を接することができるように構成されている。シール部材、好適にはＯ−リング１２０については以下で更に説明される。
【００３０】
図９を参照しながら説明すると、引込み機構が、前側の開口を通じて前方に突き出た針ホルダーの小さな直径部分１０６とともに、後ろ側からハウジング１１２のネック１３６内に挿入される。スプリング１１６は小さな直径部分１０６と摺動可能に係合し、スプリング１１６の前端がネック１３６の内部の前側開口に隣接した環状肩部に接触して着座する。スプリング１１６のもう一方の端部はヘッド１０８の環状肩部に接触して境を接している。スプリング１１６は圧縮され、アクチュエータ１１４によってヘッド１０８に対して及ぼされる対抗力により、引込み前の位置に保持される。アクチュエータ１１４は、取り付け用ボス１２８がアパーチャ１２６内に回動可能に挿入され、且つ、接触面１６６が凹型壁セクション１６８に隣接したハウジング１１２の内面に接触して境を接している状態で、ハウジングに対して相対的な使用位置に配置される。アクチュエータ１１４は、壁１５０、１５２を境界とする流体流れ経路１５４、および引込み用空洞部１６４を含んでいる。ハウジング１１２内のスペース１２４は、流体の流れを停止させ、且つ、引込みを開始すべくアクチュエータが位置を変えられるときに、アクチュエータ１１４の一部を受け入れるために設けられている。
【００３１】
アクチュエータ１１４がこの位置に在る場合、アクチュエータ１１４の中を通る流体流れ経路１５４は、針ホルダーの中を通る軸方向通路１４４及び針１２２の内部と流体連通する位置にある。凹部１４８に配備されたシール部材１２０は、望ましくは、壁１５０、１５２および針ホルダーのヘッド１０８の間での液密の密封をもたらす。このシーリング係合はヘッド１０８の環状肩部１４６により容易化される。管体コネクター１５６は、望ましくは、流体流れ経路１５４の後ろ側端部における外向きにテーパの付いた壁１４２を含んでおり、（仮想的な輪郭線で示されている）管体セグメント１６２の端部を受け入れ、且つ、その端部と係合することができるように適合化されている。引込み用空洞部１６４の前方に面した端部に隣接した位置に設けられたハウジング１１２の突き出たボス１５８は、アクチュエータ１１４が引込み前の位置から引込み位置へ不注意で動かされてしまうのを防止するために設けられている。実際には、ボス１５８とアクチュエータ１１４の接面との間の間隔は、望ましくは、例示的な目的で図９に示されている間隔よりも小さい。
【００３２】
どちらかの方向に向けて装置１１０を通る流体の移送が所望の程度にまで果たされた後、アクチュエータの接触面１３２に対して圧力が加えられることで、アクチュエータ１１４が矢印１６０で示されている方向に回動し、アクチュエータ１１４がハウジング１１２に対する位置を変えることにより、流体の流れは容易に停止する。面１６０をボス１５８に押し付けている抵抗力に打ち勝ってヘッド１０８を越えてシール部材１２０を移動させるためには幾分かの手操作による圧力が必要になるが、その必要な力は、望ましくは、成人の使用者であれば容易に加えることができる程度の力である。繰り返しになるが、弾力性を有するシール部材１２０は流体流れ経路１５４に流入する方向と流体流れ経路１５４から流出する方向のどちらの流体の漏えいをもシールすることを見て取ることができよう。
【００３３】
図１０を参照しながら説明すると、図示されているようにアクチュエータ１１４がハウジング１１２に対して相対的に位置を変えられた後には、針１２２および管体セグメント１６２の間での流体の流れは閉塞され、流体流れ経路１５４はネック１３６を貫く開口およびヘッド１０８を通る通路１４４からオフセットした状態になる。その上、壁１５０がヘッド１０８を通過するとすぐに、引込み用空洞部１６４が回動してネック１３６を通じる開口と同軸的に整列し、また、偶発的な針刺しを回避し、且つ、装置１１０の再使用を防ぐため、圧縮されたスプリング１１６の付勢力が針ホルダーを引込み用空洞部内へ突き出し、同時に、患者からハウジング１１２内へ針１２２の先端部を引き戻す。
【００３４】
本発明の別の実施形態が図１１−図１６との関連において説明される。この実施形態は、その後に分析が行われることを意図した、動脈血液ガスなどのガスを含有する流体の採取において使用するのに特に好適であり、また、同じく、引込みを開始するためにハウジングに対して相対的に円弧状に位置を変えられるアクチュエータを含んでいる。最初に図１１−図１４を参照しながら説明すると、医療装置２００が開示されており、その医療装置はハウジング２２６、アクチュエータ２０４、針ホルダー２２０、スプリング２２２、密封用シール要素２１８および前方に突き出た針２２４を含んでいる。ハウジング２２６は、更に、実質的に平坦な頂面および底面２０２を有する中空の胴体、グリップ用粗表面２０６を有する互いに反対側に配置され且つ一体的に形成されたフィンガーグリップ、開口２２８を伴って前方に伸びるテーパが付いたネック２３８、開放型の側面および背面、ならびにアクチュエータ２０４をハウジング２２６に回動可能に取り付けるための、整合し、且つ、互いに反対側に配置されたアパーチャ２３０を含んでいる。望ましくは、使用前の針２２４を保護するために保護カバー２３２が設けられており、このカバーは使用する前に針２２４から取り除かれなければならない。
【００３５】
アクチュエータ２０４は、好適には、アクチュエータ接触面２３４、ハウジング２０４のアパーチャ２３０との嵌め合わせ係合に挿入可能な、外向きに突き出た取り付け用のボス２１２、引込み用空洞部２１６、流体流れ経路の開口周囲の凹部２１４、およびハウジング２２６から後ろ側へ伸びる管体コネクター２０８を含んでいる。図１３および図１４を参照すると、管体コネクター２０８は、更に、意図する用途に応じて、装置２００の別の流体源または容器への取り付けを容易化するための、ルアーコネクター２３６の半体を含んでいる。
【００３６】
図１５−図１６を参照しながら説明すると、引込み機構は、針ホルダー２２０の小さな直径部分２２１が前側の開口２２８を通じて前方に突き出た状態で、後ろ側からハウジングのネック２３８を通じる軸方向通路２５０内に挿入することにより取り付けられる。スプリング２２２は小さな直径部分２２１と摺動可能に係合し、スプリング２２２の前端はネック２３８の前部開口２２８に隣接した環状肩部２５２に接触して着座する。スプリング２２２のもう一方の端部は針ホルダー２２０のより大きな直径のヘッド２２３の環状肩部に接触して境を接する。スプリング２２２は圧縮され、アクチュエータ２０４によりヘッド２２３に対して及ぼされる対抗力によって引込み前位置に保持される。アクチュエータ２０４は、取り付け用のボス２１２がアパーチャ２３０内に回動可能に挿入されている状態（図１２）で、且つ、アクチュエータの接触面２３４が最も近い隣接したグリップ用粗表面２０６の下側であるハウジング２２６の内面に接触して境を接している状態を伴って、ハウジング２２６に対して相対的な使用位置に配置されている。アクチュエータ２０４は流体流れ経路２４２および引込み用空洞部２１６を含んでいる。ハウジング２２６のスペース２４４は、流体の流れを終了させ、且つ、引込みを開始するためにアクチュエータが位置を変えられるときに、アクチュエータ２０４の一部を受け入れるために設けられている。
【００３７】
アクチュエータ２０４が図１５に示されている位置に在る場合、アクチュエータ２０４を通じて流体流れ経路２４２は針ホルダーを通る軸方向通路２２５および針２２４の内部の軸方向通路２５８と流体的に連通した状態で配置されている。凹部２１４に着座した密封用シール部材２４６は、望ましくは、流体流れ経路２４２の前端と針ホルダーのヘッド２２３との間で流体密封性の密封状態が得られる。管体コネクター２０８は、望ましくは、流体流れ経路２４２との流体連通状態をもたらす階段状のボア２４０を含んでいる。引込み用空洞部２１６の前方に面した端部に隣接して配置されているハウジング２２６の突き出たボス２３５は、アクチュエータが不注意で引込み前位置から図１６に示されている引込み位置へ動かされるのを防止するために設けられている。
【００３８】
図１６を参照しながら説明すると、どちらかの方向における装置２００を通る流体の移送が所望の程度にまで果たされた後、その流体の流れは、アクチュエータの接触面２３４に対して圧力を加え、これにより、アクチュエータが矢印２６０で示されている方向に回動する状態をもたらすことによって、ハウジング２２６に対して相対的にアクチュエータの位置を変えることにより容易に終了される。面２３７（図１５）をボス２３５に押し付けている抵抗力に打ち勝ってヘッド２２３を越えてシール部材２４６を移動させるためには幾分かの手操作による圧力が必要になるが、その必要な力は、望ましくは、成人の使用者であれば易々と加えることができる範囲内の力である。アクチュエータが図１６に示されているようにハウジング１１２に対して相対的に位置を変えられた後には、針２４４および管体コネクター２０８の間での流体の流れは閉塞され、流体流れ経路２４２は通路２４８、２５０を通る開口からオフセットされた状態になる。その上、引込み用空洞部１６４が回動されて通路２４８、２５０と同軸的に整列した状態になるとすぐに、偶発的な針刺しを回避し、且つ、再使用を防ぐため、圧縮されたスプリング２２４の付勢力が針ホルダー２２１、２２３を引込み用空洞部内へ突き出し、同時に、針２２４の先端部を患者からハウジング２２６内へ引き戻す。
【００３９】
本発明の別の実施形態が図１７−図２０との関連において説明される。流体の抽出、採取または注入において使用するのに特に好適なこの実施形態もアクチュエータを含んでおり、そのアクチュエータは、引込みを開始するためにハウジングに対して相対的に回転的に位置を変えられ、最も好適には円弧状に位置を変えられる。最初に図１７−図１８を参照しながら説明すると、医療装置３００が開示されており、その医療装置はハウジング３０４、アクチュエータ３１６、針ホルダー３１２、スプリング３１０、密封要素３１４および前方に突き出た針３０８を含んでいる。ハウジング３０４は、更に、実質的に平坦な頂面および底面を有する中空の胴体、グリップ用粗表面３４０を伴って互いに反対側に配置され且つ一体的に形成されたフィンガーグリップ、前方に伸びる開口を伴って前方に伸びるテーパが付いたネック３０６、開放型の側面および背面、ならびにアクチュエータ３１６をハウジング３０４に回動可能に取り付けるための、整合し、且つ、互いに反対側に配置されたアパーチャ３２４を含んでいる。望ましくは、使用前の針３０８を保護するために保護カバー３０２が設けられており、このカバーは使用する前に針３０８から取り除かれなければならない。
【００４０】
図１８および図１９を参照すると、本発明のこの実施形態においては、別の装置（図示せず）を取り付けるのに適した長さを有する管体セグメント３１８によってアクチュエータ３１６を通じて流体流れ経路３２８へ取り付けることが可能な外部コネクター胴体３２２が設けられており、ここで、前述の別の装置は、患者に注入すべき流体、または患者から抽出すべき流体のためのソースであるか、またはそのような流体用の容器であってよい。図１９を参照しながら説明すると、管体セグメント３１８（長さの範囲が例えば１フィートから４フィートもしくはそれ以上であってよい）が、好適には、アクチュエータ３１６の後ろ側に挿入され、接着剤による接着、溶接、クランプ、または別な仕方で適所に固定されて流体流れ経路３２８との流体連通状態を確立することができ、また、同様に、鼻状部３２０に設けられている開口を通じてコネクターの胴体３２２にも取り付けることができ、これにより、そのコネクター胴体３２２を通って階段状の軸方向ボア３３２との流体的連通状態を確立することができる。コネクター胴体３２２の後ろ側に設けられたコネクター３３４は、望ましくは、別の装置、好適には流体源または容器への取り付けを容易化するために設けられており、最も好適には、標準的なルアーコネクターの半分が設けられている。また、コネクター胴体３２２の鼻状部３２０に挿入された管体セグメントの端部も、好適には、接着剤を用いて、または何らかの他の適切な通常の手段により取り付けられる。更に、コネクター胴体３２２は、必要に応じてコネクター胴体３２２を別の表面または物品に固定する際に使用するための、互いに反対側に向けられた安定化用の翼状体３３６を随意選択的に備えることもできる。
【００４１】
ハウジング３０４の内部にアクチュエータ３１６を取り付ける前に、針ホルダー３１２およびスプリング３１０を含む引込み機構が、好適には、針ホルダー３１２のより小さな直径部分がネック３０６の前部の開口を通じて前方に突き出た状態で、図１１−図１７の実施形態との関連において先に説明されているように、後ろ側からハウジング３０４のネック３０６内に挿入することにより取り付けられる。スプリング３１０は取り付け中に圧縮され、アクチュエータ３１６により針ホルダー３１２のヘッドに対して及ぼされる対抗力によってその引込み前位置に保持される。図１９では、アクチュエータ３１６は、図１５のハウジング２２６との関連においてアクチュエータ２０４に対して先に説明されているように、ハウジング３０４の内部のアクチュエータの使用位置に配置されている。アクチュエータ３１６は流体流れ経路３２８および引込み用空洞部３３０を含んでいる。ハウジング３０４のスペース３２６は、流体の流れを終了させ、且つ、引込みを開始するためにアクチュエータが位置を変えられるときに、アクチュエータ３１６の一部を受け入れるために設けられている。
【００４２】
アクチュエータ３１６が図１９に示されている位置に在る場合、アクチュエータ３１６を通じて流体流れ経路３２８は針ホルダー３１２を通る軸方向通路および針３０８の内部の軸方向通路２５８と流体連通した状態で配置されている。シール用エラストマー部材３１４は、望ましくは、流体流れ経路３２８の前端と針ホルダー３１２のヘッドとの間での流体密封性のシーリング係合をもたらす。流体流れ経路３２８の後ろ側の部分は、望ましくは、先に説明されているように、管体セグメント３１８の端部を受け入れ、且つ、その端部と係合するためのテーパ付きの壁を含んでいる。図１５のハウジング２２６のボス２３５との関連において先に説明されている如くにして突き出たボスは、望ましくは、アクチュエータ３１６が不注意で図１９の引込み前位置から図２０に示されている引込み位置へ動かされるのを防止するため、引込み用空洞部３３０の前方に面した端部に隣接して配置されている。
【００４３】
図２０を参照しながら説明すると、どちらかの方向における装置３００を通る流体の移送が所望の程度にまで果たされた後、その流体の流れは、矢印３３８で指示されているようにアクチュエータの接触面に対して圧力を加え、これにより、アクチュエータ３１６が矢印３３８で示されている方向に回動する状態をもたらすことによって、ハウジング３０４に対して相対的にアクチュエータ３１６の位置を変えることにより容易に終了される。アクチュエータが図２０に示されているようにハウジング３０４に対して相対的に位置を変えられた後には、針３０８および管体コネクターの胴体３２２の間での流体の流れは閉塞され、そして、流体流れ経路３２８は鼻状部３０６を通る開口からからオフセットされた状態になる。その上、引込み用空洞部３３０が回動されてハウジング３０４のネック３０６を通る開口と同軸的に整列した状態になるとすぐに、偶発的な針刺しを回避し、且つ、再使用を防ぎ、これにより、流体感染性の病原菌が別の人に広がることに関する潜在的可能性を低減させるため、圧縮されたスプリング３０８の付勢力が針ホルダー３１２を引込み用空洞部３３０内へ押しやり、同時に、針３０８の先端部を患者からハウジング３０４内へ引き戻す。
【００４４】
本明細書で開示されている場合、すべてのハウジング、アクチュエータ、カニューレホルダー、保護カバー、端部キャップおよび管体コネクターは、例えばプラスチック、金属、セラミックまたはガラスなどのあらゆる適切な材料でできていてよい。ＩＶ注入および血液採取などの医療用途の場合、成形ポリプロピレンの使用が好適である。同様に、意図する使用または用途に応じて、本発明において使用するのに適したカニューレは、金属、プラスチックまたはセラミック材料でできていてよく、但し、金属であることが好適である。流体シール部材またはカニューレホルダープラグなどとして使用される弾性パーツは、望ましくは、ゴム、他のエラストマーポリマーまたはゴム変性プラスチックでできている。
【００４５】
図１−図５との関連において開示されている装置を使用し、且つ、引込み中、ハウジングが静止位置に維持されることを前提としている場合には、本装置の後ろ側に連結されている管体セグメントは、流体の流れを終了させ、且つ、カニューレをハウジング内に引っ込めるためにアクチュエータが位置を変えられるときに、軸方向に、側方向にまたは方向的に動かされない。ハウジングに対して相対的に回動する際のアクチュエータの円弧状の位置変動により流れが終了され、且つ、カニューレが引き込まれる、図６−図２０の装置を使用する場合、取り付けられた管体セグメントの軸方向、側方向および方向的な移動は、従来の装置を使用した場合のこれまでの走行距離に比べて僅かである。
【００４６】
本開示を読めば、当業者にとって、本発明の他の変形態様および変更態様が同様に明らかになるものと考えられ、ここで開示されている本発明の範囲は、本発明者らが合法的に権利を与えられる添付の特許請求の範囲の最も広い解釈によってのみ制限されることが意図されている。
【図１】
0005508404.tif 000002
【図２】
0005508404.tif 000003
【図３】
0005508404.tif 000004
【図４】
0005508404.tif 000005
【図５】
0005508404.tif 000006
【図６】
0005508404.tif 000007
【図７】
0005508404.tif 000008
【図８】
0005508404.tif 000009
【図９】
0005508404.tif 000010
【図１０】
0005508404.tif 000011
【図１１】
0005508404.tif 000012
【図１２】
0005508404.tif 000013
【図１３】
0005508404.tif 000014
【図１４】
0005508404.tif 000015
【図１５】
0005508404.tif 000016
【図１６】
0005508404.tif 000017
【図１７】
0005508404.tif 000018
【図１８】
0005508404.tif 000019
【図１９】
0005508404.tif 000020
【図２０】
0005508404.tif 000021